(57)【要約】【課題】  物品ホルダにおいて、簡易に、かつ物品の寸法形状、材質によらず、物品を固定的に保持可能にすること。【解決手段】  液体充填ラインで用いる物品ホルダ１０であって、物品１を挿入して保持する有底枠状のホルダ本体１１を有し、該ホルダ本体１１の底面に、物品１を粘着保持するとともに剥離自在にする粘着シート１２を設けたもの。【選択図】  図２
2010155655.tif 000002
【特許請求の範囲】
【請求項１】
液体充填ラインで用いる物品ホルダであって、物品を挿入して保持する有底枠状のホルダ本体を有し、該ホルダ本体の底面に、物品を粘着保持するとともに剥離自在にする粘着シートを設けた、液体充填ラインで用いる物品ホルダ。
【請求項２】
前記ホルダ本体の枠内面が物品の胴部との間にクリアランスを有する請求項１に記載の液体充填ラインで用いる物品ホルダ。
【請求項３】
前記粘着シートの表裏の両シート面は同一性状をなし、粘着シートの裏面のシート面が接するホルダ本体の底面を鏡面とし、粘着シートの表面のシート面が接する物品の底面を粗面とする請求項１又は２に記載の液体充填ラインで用いる物品ホルダ。
【請求項４】
前記粘着シートの表裏の両シート面は同一性状をなし、粘着シートの裏面のシート面が接するホルダ本体の底面との接触面積より、粘着シートの表面のシート面が接する物品の底面との接触面積を小にする請求項１又は２に記載の液体充填ラインで用いる物品ホルダ。
【請求項５】
前記ホルダ本体の底面が水平に対して勾配をなすものにする請求項１〜４のいずれかにに記載の液体充填ラインで用いる物品ホルダ。
【発明の詳細な説明】
【技術分野】
【０００１】
本発明は物品ホルダに関する。
【背景技術】
【０００２】
従来、容器への内容物充填包装ライン等の物品処理ラインでは、ラインのコンベヤに載せた物品ホルダに物品を保持する状態で、物品をラインの内外に搬送可能にしている。
【０００３】
このような物品ホルダでは、物品をホルダ本体内に挿入して保持するため、物品とホルダ本体の間に一定以上のクリアランスを設ける必要がある。物品ホルダを載せたラインのコンベヤが急発進、急停止等すると、物品は急発進、急停止等の加減速に伴なう衝撃によりホルダ本体内で横揺れする如くに動き、物品に充填した内容物の液ハネ等を生ずるおそれがある。
【０００４】
そこで従来、物品を固定的に保持可能にする物品ホルダとして、特許文献１に記載の如く、ホルダ本体に弾性保持体を設け、弾性保持体により、ホルダ本体内に物品を出入可能にし、かつ物品に弾性把持力を及ぼして保持するものがある。
【先行技術文献】
【特許文献】
【０００５】
【特許文献１】特開平8-282633
【発明の概要】
【発明が解決しようとする課題】
【０００６】
特許文献１の物品ホルダには以下の問題点がある。
(1)弾性保持体は特定の物品とホルダ本体の間のクリアランスを埋め得る等の特定の寸法からなるものであり、複雑になるし、汎用性に劣る。
【０００７】
(2)柔軟容器や異形容器等の物品には適用できない。即ち、柔軟容器に対しては弾性保持体が及ぼす弾性把持力を強くできないし、異形容器では容器の異形部が弾性保持体に干渉してホルダ本体内に挿入困難又は挿入不能になる。
【０００８】
本発明の課題は、物品ホルダにおいて、簡易に、かつ物品の寸法形状、材質によらず、物品を固定的に保持可能にすることにある。
【課題を解決するための手段】
【０００９】
請求項１に係る発明は、液体充填ラインで用いる物品ホルダであって、物品を挿入して保持する有底枠状のホルダ本体を有し、該ホルダ本体の底面に、物品を粘着保持するとともに剥離自在にする粘着シートを設けたものである。
【図面の簡単な説明】
【００１０】
【図１】図１は実施例１の物品ホルダを示す模式図である。
【図２】図２は物品ホルダの使用状態を示す模式図である。
【図３】図３はホルダ本体への粘着シートの取着構造を示す模式図である。
【図４】図４は実施例２の物品ホルダを示す模式図である。
【図５】図５は参考例１の物品ホルダを示す模式図である。
【図６】図６は参考例２の物品ホルダを示す模式図である。
【図７】図７は参考例３の物品ホルダを示す模式図である。
【図８】図８は参考例４の物品ホルダを示す模式図である。
【発明を実施するための形態】
【００１１】
（実施例１）（図１〜図３）
ボトル、パウチ等の物品１の内容物充填包装ライン等の物品処理ラインでは、図１、図２に示す如く、ラインのコンベヤ２に載せた物品ホルダ１０に物品１を保持する状態で、物品１をラインの内外に搬送可能にする。
【００１２】
物品ホルダ１０は、有底四角枠状のホルダ本体１１を有し、物品１をホルダ本体１１に挿入して保持するため、物品１の胴部１Ａとホルダ本体１１の枠内面１１Ａとの間に一定以上のクリアランスを有する。
【００１３】
物品ホルダ１０は、物品１を粘着保持するとともに剥離自在にする粘着シート１２をホルダ本体１１に設ける。粘着シート１２は、物品ホルダ１０をコンベヤ２に載せた概ね水平面上での搬送状態で、粘着シート１２のシート面に沿う搬送方向では物品１を強力に粘着保持し、粘着シート１２のシート面に直交する物品１の抜き取り方向では物品１を容易に剥離自在にする。
【００１４】
物品ホルダ１０は、粘着シート１２をホルダ本体１１に着脱可能に設けてある。図３に示す如く、粘着シート１２は裏面のシート面Ｓ1をホルダ本体１１の底面１１Ｂに粘着することにてホルダ本体１１に取着され、表面のシート面Ｓ2に物品１の底面１Ｂを粘着保持可能にする。このとき、粘着シート１２の表裏の両シート面Ｓ1、Ｓ2は同一性状をなし、(a)粘着シート１２の裏面のシート面Ｓ1が接するホルダ本体１１の底面１１Ｂを鏡面、粘着シート１２の表面のシート面Ｓ2が接する物品１の底面１Ｂを粗面とすることにより、粘着シート１２はホルダ本体１１よりも物品１との間で相対的に剥離容易とされ、(b)粘着シート１２の裏面のシート面Ｓ1が接するホルダ本体１１の底面１１Ｂとの接触面積Ａ1より、粘着シート１２の表面のシート面Ｓ2が接する物品１の底面１Ｂとの接触面積Ａ2を小にしていることによっても、粘着シート１２はホルダ本体１１よりも物品１との間で剥離容易とされる。
【００１５】
粘着シート１２としては、ゴム系樹脂やゴム系混合物が使用できる。例えば、エーテル系ポリウレタン樹脂、ポリアミド系樹脂、スチレン−エチレン系樹脂、ブチレン−スチレン系樹脂、スチレン−エチレン／ブチレン−スチレンブロック共重合体、スチレン−エチレン／ブチレン−スチレンブロック共重合体とナフテン系の混合物などが採用できし、常温粘着性を有する溶液タイプ、エマルジョンタイプ、ホットメルトタイプの粘着材や、アクリル系、ゴム系、ウレタン系、シリコーン系の粘着材も採用できる。
【００１６】
尚、物品ホルダ１０は、図１（Ｂ）に示す如く、ホルダ本体１１に保持した物品１の排出等に際し、ホルダ本体１１の底面１１Ｂに設けた孔１１Ｃに挿入されるロッド等により物品１の底面１Ｂを突き上げ可能にするため、粘着シート１２に孔１２Ａを設けることができる。
【００１７】
（実施例２）（図４）
実施例２の物品ホルダ１０が実施例１の物品ホルダ１０と異なる点は、物品ホルダ１０をコンベヤ２に載せた概ね水平面上での搬送状態で、ホルダ本体１１の底面１１Ｂが水平に対して勾配をなすものとし、この底面１１Ｂ上に設けた粘着シート１２により物品１の底面１Ｂを粘着保持する。物品１の注入口１Ｃが物品１の正立状態で鉛直方向に対して傾くものであるとき、この物品１の物品ホルダ１０による保持状態で注入口１Ｃを鉛直方向にセットし、充填容易にできる。尚、物品１は胴部１Ａをホルダ本体１１の枠内面１１Ａに支持され、底面１Ｂを粘着シート１２に粘着保持される。
【００１８】
（参考例１）（図５）
参考例１の物品ホルダ２０が実施例１の物品ホルダ１０と異なる点は、ホルダ本体１１に代わるホルダ本体２１を立上り面２１Ａと底面２１Ｂを備えるＬ字状にし、物品１の胴部１Ａの背面をホルダ本体２１の立上り面２１Ａに設けた粘着シート１２に粘着保持するとともに、物品１の底面１Ｂをホルダ本体２１の底面２１Ｂに支持可能にしたものである。ホルダ本体２１に対する粘着シート１２の取着構造、粘着シート１２による物品１の保持性能は実施例１におけると同じである。
【００１９】
（参考例２）（図６）
参考例２の物品ホルダ３０が実施例１の物品ホルダ１０と異なる点は、ホルダ本体１１に代わるホルダ本体３１を底面３１Ａを備える平板状にし、物品１の底面１Ｂをホルダ本体３１の底面３１Ａに設けた粘着シート１２に粘着保持するようにしたものである。ホルダ本体３１に対する粘着シート１２の取着構造、粘着シート１２による物品１の保持性能は実施例１におけると同じである。
【００２０】
（参考例３）（図７）
参考例３の物品ホルダ３０が参考例２の物品ホルダ３０と異なる点は、ホルダ本体３１の底面３１Ａに設ける粘着シート１２をくさび状粘着シート１３に代えたことにある。物品ホルダ３０をコンベヤ２に載せた概ね水平面上での搬送状態で、粘着シート１３の物品載置面１３Ａが水平に対して勾配をなすものになる。物品１の注入口１Ｃが物品１の正立状態で鉛直方向に対して傾くものであるとき、この物品１の物品ホルダ３０による保持状態で注入口１Ｃを鉛直方向にセットし、充填容易にできる。
【００２１】
（参考例４）（図８）
参考例４の物品ホルダ３０が参考例２の物品ホルダ３０と実質的に異なる点は、ホルダ本体３１の底面３１Ａに設ける粘着シート１２を複数枚に分割したこと、及び底面３１Ａに立設した支持ロッド３２に物品１のネック部１Ｄを把持するネック把持装置４０を設けたことにある。ネック把持装置４０は、相対する把持爪４１、４１を支持ロッド３２の上のガイドレール４２にスライド自在に嵌合するとともに、それらの把持爪４１、４１をばね４３で閉じ方向に付勢する。物品１は物品ホルダ３０の粘着シート１２により底面１Ｂを粘着保持されるとともに、ネック部１Ｄをネック把持装置４０の把持爪４１、４１により把持される。尚、支持ロッド３２に沿って、ガイドレール４２を上下動可能とすれば、ガイドレール４２を上下方向自在な位置に設定することができ、物品１の高さに対する自由度をもたせることも可能である。
【００２２】
物品ホルダ１０、２０、３０によれば以下の作用効果を奏する。
(a)物品ホルダ１０、２０、３０にあっては、物品１をホルダ本体１１、２１、３１の粘着シート１２、１３に粘着保持する。従って、物品ホルダ１０、２０、３０を載せたラインのコンベヤ２が急発進、急停止等しても、物品１がホルダ本体１１、２１、３１に対して動くことがなく、液ハネ等を抑えた安定した搬送を可能にする。
【００２３】
(b)ホルダ本体１１、２１、３１に粘着シート１２、１３を設けるだけの構成であり、簡易である。
【００２４】
(c)粘着シート１２、１３は物品１の底面１Ｂに対する粘着保持と剥離を繰り返し自在にして物品１を保持可能にするものであり、寸法の異なる物品１、柔軟な物品１、異形の物品１についても確実に粘着保持して固定化する。
【００２５】
(d)粘着シート１２、１３をホルダ本体１１、２１、３１に対して着脱可能にした。従って、使用経過によって汚れた粘着シート１２、１３をホルダ本体１１、２１、３１から一旦取外して水やアルコール等で清浄化することにより、その粘着性を回復させて再使用できる。また、粘着力の異なる複数枚の粘着シート１２、１３や、粘着シート１２、１３の物品載置面が水平をなすもの又は水平に対して勾配をなすもの等の複数種の粘着シート１２、１３を用意しておき、使用状況（物品重量、物品搬送速度、物品１の注入口１Ｃが水平に対してなす角度等）に応じた適宜の粘着シート１２、１３を選択使用できる。
【産業上の利用可能性】
【００２６】
本発明は、液体充填ラインで用いる物品ホルダであって、物品を挿入して保持する有底枠状のホルダ本体を有し、該ホルダ本体の底面に、物品を粘着保持するとともに剥離自在にする粘着シートを設けた。これにより、物品ホルダにおいて、簡易に、かつ物品の寸法形状、材質によらず、物品を固定的に保持できる。
【符号の説明】
【００２７】
１  物品
１０  物品ホルダ
１１  ホルダ本体
１２  粘着シート
【図１】
2010155655.tif 000003
【図２】
2010155655.tif 000004
【図３】
2010155655.tif 000005
【図４】
2010155655.tif 000006
【図５】
2010155655.tif 000007
【図６】
2010155655.tif 000008
【図７】
2010155655.tif 000009
【図８】
2010155655.tif 000010
【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
液体充填ラインで用いる物品ホルダであって、物品を挿入して保持する有底枠状のホルダ本体を有し、該ホルダ本体の底面に、物品を粘着保持するとともに剥離自在にする粘着シートを設けた、液体充填ラインで用いる物品ホルダ。
【請求項２】
前記ホルダ本体の枠内面が物品の胴部との間にクリアランスを有する請求項１に記載の液体充填ラインで用いる物品ホルダ。
【請求項３】
前記粘着シートの表裏の両シート面は同一性状をなし、粘着シートの裏面のシート面が接するホルダ本体の底面を鏡面とし、粘着シートの表面のシート面が接する物品の底面を粗面とする請求項１又は２に記載の液体充填ラインで用いる物品ホルダ。
【請求項４】
前記粘着シートの表裏の両シート面は同一性状をなし、粘着シートの裏面のシート面が接するホルダ本体の底面との接触面積より、粘着シートの表面のシート面が接する物品の底面との接触面積を小にする請求項１又は２に記載の液体充填ラインで用いる物品ホルダ。
【請求項５】
前記ホルダ本体の底面が水平に対して勾配をなすものにする請求項１〜４のいずれかにに記載の液体充填ラインで用いる物品ホルダ。
【請求項６】
請求項１〜５のいずれかに記載の物品ホルダを用いた物品搬送方法であって、
液体充填ラインのコンベヤに載せたホルダ本体に物品を挿入し、該ホルダ本体の底面に設けてある粘着シートに該物品を粘着保持して搬送するとともに、
該物品を粘着シートから剥離して該ホルダ本体から抜き取る物品搬送方法。
【請求項７】
前記粘着シートをホルダ本体から取外して清浄化した後に、再使用する請求項６に記載の物品搬送方法。
【請求項８】
前記粘着シートとして複数種の粘着シートを用意しておき、それらの複数種の粘着シートから選択した粘着シートを使用する請求項６又は７に記載の物品搬送方法。